(57)【要約】【課題】たとえば鑑賞時には内蔵する駆動モータを停止させ、これにより鑑賞時に耳障りな雑音を発生しないようにすること。【解決手段】再生装置１は、デジタル再生データが記録されたディスクを駆動モータ２１，２２により駆動するディスク系デバイス１４，１５と、デジタル再生データを記憶することができる半導体メモリ１７と、ディスク系デバイス１４，１５の再生操作がなされた場合、ディスクに記録されているデジタル再生データを半導体メモリ１７にコピーし、さらにディスク系デバイス１４，１５の停止を指示した後に、半導体メモリ１７の再生処理を実行させる制御手段３３と、を有する。【選択図】図１
2008243300.tif 000002
【特許請求の範囲】
【請求項１】
デジタル再生データが記録されたディスクを駆動モータにより駆動するディスク系デバイスと、
上記デジタル再生データを記憶することができる半導体メモリと、
上記ディスク系デバイスの再生操作がなされた場合、上記ディスクに記録されている上記デジタル再生データを上記半導体メモリにコピーし、さらに上記ディスク系デバイスの停止を指示した後に、上記半導体メモリの再生処理を実行させる制御手段と、
を有することを特徴とする再生装置。
【請求項２】
冷却ファンを駆動モータにより駆動して装置内部を冷却するファンデバイスを有し、
前記制御手段は、上記ファンデバイスの停止を指示した後に、前記半導体メモリの再生処理を実行させること、
を特徴とする請求項１記載の再生装置。
【請求項３】
駆動モータなどのアクチュエータを有するデバイスを有し、
前記制御手段は、上記デバイスの停止を指示した後に、前記半導体メモリの再生処理を実行させること、
を特徴とする請求項１記載の再生装置。
【請求項４】
前記制御手段は、前記ディスク系デバイスに記録されている前記デジタル再生データを前記半導体メモリにコピーするときには、当該再生装置からの再生出力をさせないこと、を特徴とする請求項１から３の中のいずれか１項記載の再生装置。
【請求項５】
前記制御手段は、前記再生操作により再生対象とされる前記ディスク系デバイスの前記デジタル再生データに対して前記半導体メモリの空き容量が不足する場合には、再生可能な単位で前記ディスク系デバイスに記録されている前記デジタル再生データを前記半導体メモリにコピーして再生処理を実行させ、上記再生対象の前記デジタル再生データによる再生を間欠的に実行させること、を特徴とする請求項１から３の中のいずれか１項記載の再生装置。
【請求項６】
前記半導体メモリの少なくとも一部は、当該再生装置と着脱可能なものであること、を特徴とする請求項１から３の中のいずれか１項記載の再生装置。
【請求項７】
デジタル再生データを記憶することができるディスクを駆動モータにより駆動するディスク系デバイスと、
上記デジタル再生データを記憶することができる半導体メモリと、
入力端子と、
上記入力端子に入力される音声信号あるいは映像信号を上記ディスク系デバイスへ記録する操作がなされた場合、上記ディスク系デバイスの停止を指示した後に、上記入力端子に入力される音声信号あるいは映像信号を記録データとして上記半導体メモリに記録し、その後、上記半導体メモリに記録した上記記録データを上記ディスク系デバイスへ移動させる制御手段と、
を有することを特徴とする記録装置。
【発明の詳細な説明】
【技術分野】
【０００１】
本発明は、再生装置および記録装置に関する。
【背景技術】
【０００２】
特許文献１は、情報記録ディスクから読み出す情報の情報読み出し長又は情報記録ディスクへ書き込む情報の情報書き込み長に基づいて情報記録ディスクの回転速度を制御することで、低消費電力化、低騒音化、低振動化を図る発明を開示する。
【０００３】
【特許文献１】特開２００２−１３３７６０号公報（要約、特許請求の範囲など）
【発明の開示】
【発明が解決しようとする課題】
【０００４】
近年、ＡＶ（Ａｕｄｉｏ  Ｖｉｓｕａｌ）機器のデジタル化が進み、楽曲、動画、静止画などはデジタル再生データとして、ＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｋ）などのディスク型記録媒体やＨＤＤ（ハードディスクドライブ）デバイスなどに記録されるようになってきている。
【０００５】
しかしながら、ＣＤやＤＶＤを回転駆動してそれらに記録されたデジタル再生データを読み出すディスクデバイスやＨＤＤデバイスでは、ディスクを駆動モータで回転駆動する必要があるため、その再生時に駆動動作音が発生する。このディスクの回転駆動により発生する駆動動作音は、従来のテープデバイスなどによる動作音に比べて大きく、鑑賞時などには雑音として聞こえてしまう。特に、近年のＡＶ機器では、大量のデータを高速に読み書きするために、ディスクデバイスやＨＤＤデバイスとしてディスクの駆動速度が高速化されたものを採用する傾向にあり、この動作音は耳障りとなる傾向にある。つまり、ＡＶ機器が再生する音の質を向上するだけでは、ユーザに高音質の音を提供することができない。
【０００６】
そこで、ＡＶ機器においても、ディスクの駆動速度を常に一定の最高速度にするのではなく、特許文献１にあるようにデータ量に応じて最適化した速度に制御することにより、低騒音化を図ることが考えられる。しかしながら、このようにディスクの駆動速度を最適に制御したとしても、騒音が無くなることにはならない。鑑賞中にデータが読み出されるときには、騒音が発生してしまうことになる。
【０００７】
なお、近年のＡＶ機器が発生する音としては、このようなディスクデバイスやＨＤＤデバイスにおける駆動モータの駆動動作音の他にも、冷却ファンの駆動モータの駆動動作音、その他のアクチュエータのノイズ、冷却ファンなどによる風切り音などがある。
【０００８】
また、駆動モータやアクチュエータが発生するノイズは、記録時には雑音として記録されてしまうことがある。
【０００９】
本発明は、鑑賞時には内蔵する駆動モータを停止させ、これにより鑑賞時に耳障りな雑音を発生することがない再生装置を得ることを目的とする。また、本発明は、記録時には内蔵する駆動モータを停止させ、これにより記録時に耳障りな雑音を記録することがない記録装置を得ることを目的とする。
【課題を解決するための手段】
【００１０】
本発明に係る再生装置は、デジタル再生データが記録されたディスクを駆動モータにより駆動するディスク系デバイスと、デジタル再生データを記憶することができる半導体メモリと、ディスク系デバイスの再生操作がなされた場合、ディスクに記録されているデジタル再生データを半導体メモリにコピーし、さらにディスク系デバイスの停止を指示した後に、半導体メモリの再生処理を実行させる制御手段と、を有するものである。
【００１１】
本発明に係る再生装置は、上述した発明の構成に加えて以下の特徴を有するものである。すなわち、再生装置は、さらに、冷却ファンを駆動モータにより駆動して装置内部を冷却するファンデバイスを有する。そして、制御手段は、ファンデバイスの停止を指示した後に、半導体メモリの再生処理を実行させる。
【００１２】
本発明に係る再生装置は、上述した発明の各構成に加えて以下の特徴を有するものである。すなわち、再生装置は、さらに、駆動モータなどのアクチュエータを有するデバイスを有する。そして、制御手段は、デバイスの停止を指示した後に、半導体メモリの再生処理を実行させる。
【００１３】
本発明に係る再生装置は、上述した発明の各構成に加えて以下の特徴を有するものである。すなわち、制御手段は、ディスク系デバイスに記録されているデジタル再生データを半導体メモリにコピーするときには、当該再生装置からの再生出力をさせない。
【００１４】
本発明に係る再生装置は、上述した発明の各構成に加えて以下の特徴を有するものである。すなわち、制御手段は、再生操作により再生対象とされるディスク系デバイスのデジタル再生データに対して半導体メモリの空き容量が不足する場合には、再生可能な単位でディスク系デバイスに記録されているデジタル再生データを半導体メモリにコピーして再生処理を実行させ、再生対象のデジタル再生データによる再生を間欠的に実行させる。
【００１５】
本発明に係る再生装置は、上述した発明の各構成に加えて以下の特徴を有するものである。すなわち、半導体メモリの少なくとも一部は、当該再生装置と着脱可能なものである。
【００１６】
本発明に係る記録装置は、デジタル再生データを記憶することができるディスクを駆動モータにより駆動するディスク系デバイスと、デジタル再生データを記憶することができる半導体メモリと、入力端子と、入力端子に入力される音声信号あるいは映像信号をディスク系デバイスへ記録する操作がなされた場合、ディスク系デバイスの停止を指示した後に、入力端子に入力される音声信号あるいは映像信号を記録データとして半導体メモリに記録し、その後、半導体メモリに記録した記録データをディスク系デバイスへ移動させる制御手段と、を有するものである。
【発明の効果】
【００１７】
本発明では、鑑賞時には内蔵する駆動モータを停止させ、これにより鑑賞時に耳障りな雑音を発生しないようにすることができる。また、本発明では、記録時には内蔵する駆動モータを停止させ、これにより記録時に耳障りな雑音を記録しないようにすることができる。
【発明を実施するための最良の形態】
【００１８】
以下、本発明の実施の形態に係る再生装置および記録装置を、図面に基づいて説明する。再生装置および記録装置は、１つのＡＶ機器として説明する。
【００１９】
図１は、本発明の実施の形態に係る再生装置としてのＡＶ機器１の構成を示すブロック図である。ＡＶ機器１は、たとえばデジタル入力端子２、デジタル出力端子３、アナログの音声信号が入力されるアナログ入力端子としてのアナログ音声入力端子４、アナログ音声出力端子５などの複数の入出力端子を有する。なお、ＡＶ機器１は、この他にも、アナログの映像信号が入力されるアナログ映像出力端子、アナログの映像信号を出力するアナログ映像入力端子などを備えていてもよい。
【００２０】
デジタル出力端子３には、たとえば図示外の液晶テレビジョン受像機などが接続される。デジタル入力端子２には、たとえば図示外のＤＶＤプレーヤなどが接続される。アナログ音声出力端子５には、たとえば図示外の５．１ｃｈのスピーカシステムなどが接続される。アナログ音声入力端子４には、たとえば図示外のマイクロホンなどが接続される。なお、アナログ映像出力端子には、たとえばブラウン管テレビジョン受像機などを接続することができ、アナログ映像入力端子には、たとえばビデオ再生機器などを接続することができる。
【００２１】
アナログ音声出力端子５は、ＤＡＣＩＣ（Ｄｉｇｉｔａｌ  ｔｏ  Ａｎａｌｏｇ  Ｃｏｎｖｅｒｔｅｒ  Ｉｎｔｅｇｒａｔｅｄ  Ｃｉｒｃｕｉｔ）１１に接続される。ＤＡＣＩＣ１１は、ＤＳＰＩＣ１３（Ｄｉｇｉｔａｌ  Ｓｉｇｎａｌ  Ｐｒｏｃｅｓｓｏｒ  ＩＣ）に接続される。ＤＡＣＩＣ１１は、ＤＳＰＩＣ１３から供給される音の波形データを音声信号へ変換し、アナログ音声出力端子５へ出力する。これにより、アナログ音声出力端子５に接続される図示外の５．１ｃｈのスピーカシステムなどから音が出力される。
【００２２】
アナログ音声入力端子４は、ＡＤＣＩＣ（Ａｎａｌｏｇ  ｔｏ  Ｄｉｇｉｔａｌ  Ｃｏｎｖｅｒｔｅｒ  ＩＣ）１２へ接続される。ＡＤＣＩＣ１２は、ＤＳＰＩＣ１３に接続される。ＡＤＣＩＣ１２は、アナログ音声入力端子４に接続される図示外のマイクロホンが集音した音声信号を波形データへ変換し、ＤＳＰＩＣ１３へ出力する。
【００２３】
ＤＳＰＩＣ１３は、入力される音や映像のデジタル再生データを処理し、デジタル再生データなどを出力する。ＤＳＰＩＣ１３は、たとえばデジタル入力端子２などから入力されるストリーミングデータなどを、デジタル出力端子３へ出力する。この他にもたとえば、ＤＳＰＩＣ１３は、ＡＤＣＩＣ１２などから供給される音の波形データなどを、ＤＡＣＩＣ１１へ出力する。
【００２４】
なお、音や映像のストリーミングデータとしては、たとえばＭＰＥＧ（Ｍｏｔｉｏｎ  Ｐｉｃｔｕｒｅ  Ｅｘｐｅｒｔｓ  Ｇｒｏｕｐ）４フォーマットによるデジタル再生データ、ＨＤ（Ｈｉｇｈ  Ｄｅｆｉｎｉｔｉｏｎ）フォーマットによるデジタル再生データなどがある。また、音の波形データには、たとえばＰＣＭ（Ｐｕｌｓｅ  Ｃｏｄｅ  Ｍｏｄｕｌａｔｉｏｎ）フォーマットによるデジタル再生データ、ＭＰＥＧフォーマットによるデジタル再生データなどがある。
【００２５】
ＡＶ機器１は、このＤＳＰＩＣ１３などの他にも、ディスク系デバイスの一種としてのディスクデバイス１４、ディスク系デバイスの一種としてのＨＤＤデバイス１５、ファンデバイス１６、半導体メモリとしての内蔵半導体メモリＩＣ１７、入力デバイス１８、表示デバイス１９、これらが接続されるＦＰＧＡＩＣ（Ｆｉｅｌｄ  Ｐｒｏｇｒａｍｍａｂｌｅ  Ｇａｔｅ  Ａｒｒａｙ  ＩＣ）２０などを有する。
【００２６】
ディスクデバイス１４は、ＣＤ、ＤＶＤなどの図示外のディスク型記録媒体を駆動モータ２１により回転駆動し、このディスク型記録媒体へのデータの記録やこのディスク型記録媒体からのデータの読み出しを実行する。ディスク型記録媒体には、デジタル再生データとしての、音や映像のストリーミングデータや音の波形データなどが記録される。なお、ストリーミングデータや波形データなどは、データ圧縮された状態にてディスク型記録媒体に記録されていてもよい。
【００２７】
ＨＤＤデバイス１５は、データを記録することができる図示外の内蔵ディスクを駆動モータ２２により回転駆動し、この内蔵ディスクへのデータの記録やこの内蔵ディスクからのデータの読み出しを実行する。内蔵ディスクには、デジタル再生データとして音や映像のストリーミングデータや音の波形データなどが記録される。なお、ストリーミングデータや波形データなどは、圧縮されて内蔵ディスクに記録されていてもよい。
【００２８】
ファンデバイス１６は、図示外の冷却ファンを回転駆動する駆動モータ２３を有する。ファンデバイス１６は、たとえばＡＶ機器１の電源投入などに基づいて、駆動モータ２３により冷却ファンを回転駆動する。なお、ファンデバイス１６は、ＡＣ機器の内部温度が所定の温度以上になったり、ＦＰＧＡＩＣ２０の温度が所定の温度以上になったりすると、それらの温度がその所定の温度以下となるまで、冷却ファンの回転速度を通常より上げたりするようにしてもよい。
【００２９】
なお、ディスクデバイス１４の駆動モータ２１、ＨＤＤデバイス１５の駆動モータ２２、ファンデバイス１６の駆動モータ２３などが動作すると、ディスク型記録媒体、内蔵ディスク、冷却ファンなどの駆動動作音が発生する。特に、冷却ファンなどはＡＶ機器１の図示外の通風口に配設されるため、冷却ファンの風切り音はＡＶ機器１の外部において聞き取り易い。
【００３０】
また、これらの駆動モータ２１〜２３などのアクチュエータは、その動作時に比較的大きな電力を消費する。そのため、ＡＶ機器１の図示外の電源プレーンやグランドプレーンにはこの電力による電流が脈動的に流れて電流ノイズが大きくなったり、ＡＶ機器１内部において内部輻射が発生したりする。そして、たとえば電源プレーンやグランドプレーンの電位を基準として変換処理を実行するＡＤＣＩＣ１２やＤＡＣＩＣ１１などのアナログ回路は、これらの電流ノイズや内部輻射によりその性能をフルに発揮することができなくなり、これらの信号の変換精度などが低下してしまう。この場合には、ＡＶ機器１内において実際に変換される音や映像の質は、ＡＤＣＩＣ１２やＤＡＣＩＣ１１などの単体のスペックより低下してしまうことになる。
【００３１】
内蔵半導体メモリＩＣ１７は、たとえばＳＤＲＡＭ（Ｓｙｎｃｈｒｏｎｏｕｓ  ＤＲＡＭ）、フラッシュメモリ、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）などの、半導体デバイスによりデータを記憶するものである。内蔵半導体メモリＩＣ１７には、デジタル再生データとして音や映像のストリーミングデータや音の波形データなどが記録される。なお、ストリーミングデータや波形データなどは、圧縮されて内蔵半導体メモリＩＣ１７に記録されていてもよい。そして、この内蔵半導体メモリＩＣ１７ではデータの読み書きをする際に駆動モータを動作させる必要がないため、内蔵半導体メモリＩＣ１７に記録されたデジタル再生データを読み書きする際に動作音が発生しない。
【００３２】
入力デバイス１８は、たとえばソース選択ボタン２６、再生ボタン２７、記録先選択ボタン２８、記録ボタン２９などの各種の操作ボタンを有する。そして、入力デバイス１８は、ユーザにより操作されたボタンに応じた入力データをＦＰＧＡＩＣ２０へ出力する。
【００３３】
なお、ＡＶ機器１は、この入力デバイス１８に替えて、あるいはこの入力デバイス１８とともに、図示外のリモコン受光部を備えるものであってもよい。リモコン受光部は、図示外のリモコン送信機がその操作ボタンの操作に応じて出力する光を受光し、受光光に対応する入力データをＦＰＧＡＩＣ２０へ出力する。
【００３４】
表示デバイス１９は、たとえば液晶パネルなどであり、ＦＰＧＡＩＣ２０から供給される表示データを表示する。
【００３５】
ＦＰＧＡＩＣ２０は、マイクロコンピュータの一種であり、図示外のメモリ、図示外のＣＰＵ（Ｃｅｎｔｒａｌ  Ｐｒｏｃｅｓｓｉｎｇ  Ｕｎｉｔ）などを有する。ＣＰＵは、メモリに記憶される図示外のプログラムを読み込んで実行する。これにより、ＦＰＧＡＩＣ２０には、ファン制御部３１、データ入出力実行部３２、記録再生制御部３３、ＵＩ（Ｕｓｅｒ  Ｉｎｔｅｒｆａｃｅ）部３４などの機能が実現される。
【００３６】
なお、上述したＦＰＧＡＩＣ２０のメモリに記憶されるプログラムは、ＡＶ機器１の出荷前にメモリに記憶されたものであっても、ＡＶ機器１の出荷後にメモリに記憶されたものであってもよい。また、プログラムの一部が、ＡＶ機器１の出荷後に記憶されたものであってもよい。このように出荷後にメモリに記憶されるプログラムは、たとえばＣＤ−ＲＯＭ（Ｃｏｍｐａｃｔ  Ｄｉｓｃ  Ｒｅａｄ  Ｏｎｌｙ  Ｍｅｍｏｒｙ）や半導体メモリなどのコンピュータ読取可能な記録媒体に記憶されているものをインストールしたものであっても、インターネットなどの伝送媒体を介してサーバ装置などからダウンロードしたものであってもよい。
【００３７】
ファン制御部３１は、冷却ファンの停止を指示するための停止信号や、冷却ファンの起動を指示する起動信号を生成し、ファンデバイス１６へ供給する。ファンデバイス１６は、たとえば停止信号が入力されると駆動モータ２３を停止し、起動信号が入力されると駆動モータ２３の駆動を開始する。
【００３８】
データ入出力実行部３２は、指定されたソースデバイスからデジタル再生データを読み込んで、指定されたシンクデバイスへ読み込んだデジタル再生データを供給する。なお、このＡＶ機器１において、ソースデバイスは、ＤＳＰＩＣ１３、ディスクデバイス１４、ＨＤＤデバイス１５および内蔵半導体メモリＩＣ１７の中から選択された１つのデバイスであり、シンクデバイスは、ソースデバイス以外の選択された１つのデバイスである。
【００３９】
ＵＩ部３４は、入力デバイス１８からの入力データに基づいて、たとえばユーザが選択した再生ソースの再生開始要求を記録再生制御部３３へ供給する。また、ＵＩ部３４は、表示デバイス１９へ表示データを供給し、入力デバイス１８の操作により選択された再生ソースのソース名や再生データのデータ名などを表示デバイス１９に表示させる。
【００４０】
制御手段としての記録再生制御部３３は、ＡＶ機器１における再生処理や記録処理を制御する。記録再生制御部３３は、具体的にはたとえば、ＵＩ部３４からの再生開始要求に基づいて、再生や記録などのための各種の制御指示を、ファン制御部３１、データ入出力実行部３２、ＤＳＰＩＣ１３、ディスクデバイス１４、ＨＤＤデバイス１５などへ出力する。
【００４１】
次に、以上の構成を有するＡＶ機器１の動作を説明する。まず、ＡＶ機器１の再生動作を説明する。ＡＶ機器１に再生動作をさせる場合、ユーザは、入力デバイス１８のソース選択ボタン２６を操作し、たとえば所望のソースデバイスの名称が表示デバイス１９に表示されている状態において再生ボタン２７を操作する。これらの操作がなされると、ＵＩ部３４は、表示デバイス１９に表示しているソースの再生開始要求を記録再生制御部３３へ供給する。ＵＩ部３４は、たとえばＨＤＤデバイス１５の再生開始要求などを記録再生制御部３３へ供給する。
【００４２】
図２は、図１中の記録再生制御部３３が実行する再生処理の流れを示すフローチャートである。記録再生制御部３３は、ソースデバイスの再生開始要求があると判断すると（ステップＳＴ１においてＹｅｓ）、その再生を要求されたソースデバイスがディスク系デバイスであるか否かを判断する（ステップＳＴ２）。図１のＡＶ機器１において、ディスクデバイス１４およびＨＤＤデバイス１５がディスク系デバイスである。
【００４３】
要求されたソースがたとえば内蔵半導体メモリＩＣ１７やＤＳＰＩＣ１３などの非ディスク系デバイスである場合、記録再生制御部３３は、ソースデバイスがディスク系デバイス１４，１５ではないと判断し（ステップＳＴ２でＮｏ）、ファン制御部３１へ冷却ファンの停止を指示する（ステップＳＴ３）。ファン制御部３１は、冷却ファンの停止を指示するための停止信号を生成し、ファンデバイス１６へ供給する。ファンデバイス１６は、この停止信号が入力されると駆動モータ２３を停止する。
【００４４】
ファンデバイス１６の停止を指示した後、記録再生制御部３３は、データ入出力実行部３２へ再生を指示されたソースの再生を指示する（ステップＳＴ４）。記録再生制御部３３は、非ディスク系デバイスであるたとえば内蔵半導体メモリＩＣ１７に記録されたデジタル再生データをＤＳＰＩＣ１３へ出力する再生を指示する。この場合、データ入出力実行部３２は、内蔵半導体メモリＩＣ１７に記録されているデジタル再生データを読み込んで、ＤＳＰＩＣ１３へ供給する。
【００４５】
ＤＳＰＩＣ１３は、供給されたデジタル再生データをストリーミングデータへ変換し、デジタル出力端子３へ出力する。また、ＤＳＰＩＣ１３は、供給されたデジタル再生データから音の波形データを生成し、ＤＡＣＩＣ１１へ出力する。ＤＡＣＩＣ１１は、供給された音の波形データを音声信号へ変換し、アナログ音声出力端子５へ出力する。
【００４６】
これにより、デジタル出力端子３に接続されるたとえば図示外の液晶テレビジョン受像機などは、供給されたストリーミングデータを用いて再生映像を生成して表示する。また、アナログ音声出力端子５に接続されるたとえば図示外の５．１ｃｈのスピーカシステムなどは、供給された音声信号に基づく音を出力する。非ディスク系デバイスであるたとえば内蔵半導体メモリＩＣ１７に記録されたデジタル再生データは再生される。
【００４７】
要求されたソースがディスク系デバイス１４，１５である場合、記録再生制御部３３は、ソースデバイスがディスク系デバイス１４，１５であると判断し（ステップＳＴ２でＹｅｓ）、まず、ＤＳＰＩＣ１３へ出力ミュートを指示する（ステップＳＴ５）。ＤＳＰＩＣ１３は、デジタル出力端子３へのストリーミングデータの出力と、ＤＡＣＩＣ１１への音の波形データの出力とを停止する。これにより、デジタル出力端子３に接続されるたとえば図示外の液晶テレビジョン受像機などにおいて映像が再生されなくなり、アナログ音声出力端子５に接続されるたとえば図示外の５．１ｃｈのスピーカシステムなどから音が出力されなくなる。
【００４８】
出力ミュートを指示した後、記録再生制御部３３は、再生を指示された１つのディスク系デバイス１４，１５に対して、起動を指示する（ステップＳＴ６）。再生を指示されたソースデバイス、たとえばＨＤＤデバイス１５はその駆動モータ２２の駆動を開始する。
【００４９】
１つのディスク系デバイス１４，１５へ起動を指示した後、記録再生制御部３３は、データ入出力実行部３２に対して、起動したディスク系デバイス１４，１５のデジタル再生データを内蔵半導体メモリＩＣ１７にコピーする指示をする（ステップＳＴ７）。これにより、データ入出力実行部３２は、たとえばＨＤＤデバイス１５に記録されているデジタル再生データを読み込んで、内蔵半導体メモリＩＣ１７へ供給する。これにより、内蔵半導体メモリＩＣ１７には、ＨＤＤデバイス１５に記録されているものと同じデジタル再生データが記憶される。
【００５０】
内蔵半導体メモリＩＣ１７へのコピーが完了すると、記録再生制御部３３は、すべてのディスク系デバイス１４，１５へ停止を指示する（ステップＳＴ８）。これにより、再生を指示されたソースデバイス、たとえばＨＤＤデバイス１５を含むすべてのデバイスにおいて、駆動モータ２１，２２が停止する。
【００５１】
すべてのディスク系デバイス１４，１５を停止させた後、記録再生制御部３３は、ファン制御部３１へ冷却ファンの停止を指示する（ステップＳＴ９）。ファン制御部３１は、冷却ファンの停止を指示するための停止信号を生成し、ファンデバイス１６へ供給する。ファンデバイス１６は、この停止信号が入力されると駆動モータ２３を停止する。
【００５２】
ファンデバイス１６の停止を指示した後、記録再生制御部３３は、ＤＳＰＩＣ１３へ出力ミュートの解除を指示する（ステップＳＴ１０）。これにより、ＤＳＰＩＣ１３は、デジタル出力端子３へのストリーミングデータの出力と、ＤＡＣＩＣ１１への音の波形データの出力とが可能な状態となる。
【００５３】
出力ミュートを解除した後、記録再生制御部３３は、データ入出力実行部３２に対して、内蔵半導体メモリＩＣ１７にコピーしたデジタル再生データの再生を指示する（ステップＳＴ１１）。データ入出力実行部３２は、内蔵半導体メモリＩＣ１７に記録されているデジタル再生データを読み込んで、ＤＳＰＩＣ１３へ読み込んだデジタル再生データを供給する。
【００５４】
これにより、ＤＳＰＩＣ１３において、デジタル再生データはストリーミングデータや音の波形データへ変換され、デジタル出力端子３に接続されるたとえば図示外の液晶テレビジョン受像機などへストリーミングデータが供給され、アナログ音声出力端子５に接続されるたとえば図示外の５．１ｃｈのスピーカシステムなどへ音声信号が供給される。ＡＶ機器１は、再生を指示された１つのディスク系デバイス１４，１５のデジタル再生データを再生することができる。
【００５５】
次に、ＡＶ機器１による記録動作を説明する。ＡＶ機器１に記録動作をさせる場合、ユーザは、入力デバイス１８の記録先選択ボタン２８を操作し、たとえば所望のシンクデバイスの名称が表示デバイス１９に表示されている状態において記録ボタン２９を操作する。これらの操作がなされると、ＵＩ部３４は、表示デバイス１９に表示しているシンクデバイスへの記録開始要求を記録再生制御部３３へ供給する。ＵＩ部３４は、たとえば図示外のマイクロホンで集音されて、アナログ音声入力端子４に入力される音声信号をサンプリングしてＨＤＤデバイス１５に記録する記録開始要求などを記録再生制御部３３へ供給する。
【００５６】
図３は、図１中の記録再生制御部３３が実行する記録処理の流れを示すフローチャートである。記録再生制御部３３は、記録開始要求があると判断すると（ステップＳＴ２１でＹｅｓ）、その要求がアナログ音声入力端子４に入力される音声信号を録音する要求（すなわち、アナログの外部録音要求）であるか否かを判断する（ステップＳＴ２２）。
【００５７】
アナログの外部録音要求でない場合（ステップＳＴ２２でＮｏ）、記録再生制御部３３は、データ入出力実行部３２に対して、記録元のソースデバイス（たとえばＨＤＤデバイス１５）のデジタル再生データを記録先のシンクデバイス（たとえば内蔵半導体メモリＩＣ１７）に記録する指示をする（ステップＳＴ２３）。データ入出力実行部３２は、たとえばＨＤＤデバイス１５に記録されているデジタル再生データを読み込んで、たとえば内蔵半導体メモリＩＣ１７へ読み込んだデジタル再生データを供給する。これにより、たとえば内蔵半導体メモリＩＣ１７には、たとえばＨＤＤデバイス１５に記録されているものと同じデジタル再生データが記憶される。
【００５８】
記録開始要求がアナログ外部録音の要求である場合（ステップＳＴ２２でＹｅｓ）、記録再生制御部３３は、すべてのディスク系デバイス１４，１５へ停止を指示する（ステップＳＴ２４）。また、記録再生制御部３３は、ファン制御部３１へ冷却ファンの停止を指示する（ステップＳＴ２５）。これにより、ＡＶ機器１内のファンデバイス１６を含むすべてのデバイスにおいて、駆動モータ２１〜２３が停止する。ＡＶ機器１において、駆動モータ２１〜２３による駆動動作音や、ディスク型記録媒体、内蔵ディスク、冷却ファンなどによる風切り音などが発生しなくなる。
【００５９】
ＡＶ機器１内のすべての駆動モータ２１〜２３を停止するように制御した後、記録再生制御部３３は、データ入出力実行部３２に対して、ＤＳＰＩＣ１３が生成する音の波形データを内蔵半導体メモリＩＣ１７に記録する指示をする（ステップＳＴ２６）。データ入出力実行部３２は、ＤＳＰＩＣ１３が生成する音の波形データを読み込んで、内蔵半導体メモリＩＣ１７へ供給する。これにより、内蔵半導体メモリＩＣ１７には、アナログ音声入力端子４に入力される音のデジタル再生データが記憶される。
【００６０】
内蔵半導体メモリＩＣ１７へのアナログ外部録音が完了すると、記録再生制御部３３は、ファン制御部３１へ冷却ファンの起動許可を指示する（ステップＳＴ２７）。これにより、ファンデバイス１６において駆動モータ２３が駆動される。
【００６１】
冷却ファンの起動を許可した後、記録再生制御部３３は、記録開始要求において指定された記録先がディスク系デバイス１４，１５のいずれかであるか否かを判断する（ステップＳＴ２８）。指定された記録先がディスク系デバイス１４，１５のいずれのものではない場合（ステップＳＴ２８でＮｏ）、すなわちこの実施の形態では既にアナログ外部録音をさせた内蔵半導体メモリＩＣ１７である場合、記録再生制御部３３は、記録処理を終了する。
【００６２】
指定された記録先がディスク系デバイス１４，１５のいずれかである場合（ステップＳＴ２８でＹｅｓ）、記録再生制御部３３は、記録先に指定された１つのディスク系デバイス１４，１５へ起動を指示する（ステップＳＴ２９）。起動を指示されたディスク系デバイス１４，１５（たとえばＨＤＤデバイス１５）では、駆動モータ２２により内蔵ディスクの駆動が開始される。
【００６３】
記録先に指定された１つのディスク系デバイス１４，１５へ起動を指示した後、記録再生制御部３３は、データ入出力実行部３２に対して、内蔵半導体メモリＩＣ１７に一時記録させたデジタル再生データをその１つのディスク系デバイス１４，１５へ移動する指示をする（ステップＳＴ３０）。たとえば、データ入出力実行部３２は、内蔵半導体メモリＩＣ１７に記録した音のデジタル再生データを読み込んで、ＨＤＤデバイス１５へ供給する。このコピー処理が完了すると、データ入出力実行部３２は、内蔵半導体メモリＩＣ１７から、コピーしたデジタル再生データを削除する。これにより、ディスク系デバイス１４，１５（たとえばＨＤＤデバイス１５）には、内蔵半導体メモリＩＣ１７に記録されていたものと同じデジタル再生データが記憶される。
【００６４】
以上のように、この実施の形態によれば、記録再生制御部３３は、ディスクデバイス１４やＨＤＤデバイス１５の再生が要求された場合、それらのディスク系デバイス１４，１５に記憶されるデジタル再生データを内蔵半導体メモリＩＣ１７にコピーし（図２中のステップＳＴ７）、さらにディスク系デバイス１４，１５およびファンデバイス１６の停止を指示した（図２中のステップＳＴ８）後、その内蔵半導体メモリＩＣ１７から再生をさせる（図２中のステップＳＴ１１）。
【００６５】
つまり、ディスク系デバイス１４，１５に記録されているデジタル再生データは、内蔵半導体メモリＩＣ１７にコピーされて、この内蔵半導体メモリＩＣ１７から再生される。しかも、その内蔵半導体メモリＩＣ１７による再生がなされるときには、図２中のステップＳＴ８およびＳＴ９の処理により、ディスク系デバイス１４，１５およびファンデバイス１６は停止するように制御されている。したがって、たとえば音楽、動画、静止画などのディスク系デバイス１４，１５に記録されたデジタル再生データを再生して鑑賞するときには、ディスク系デバイス１４，１５の駆動モータ２１，２２やファンデバイス１６の駆動モータ２３による耳障りな雑音や、冷却ファンなどの風切り音などが発生しないようになる。雑音の無い静かな環境下での鑑賞が可能となる。
【００６６】
しかも、内蔵半導体メモリＩＣ１７により再生がなされるときには、ディスク系デバイス１４，１５の駆動モータ２１，２２およびファンデバイス１６の駆動モータ２３は停止するように制御される。したがって、このディスク系デバイス１４，１５の駆動モータ２１，２２やファンデバイス１６の駆動モータ２３が駆動されることにより発生してしまう、電流ノイズや内部輻射が生じなくなる。ＡＶ機器１内のたとえばＤＡＣＩＣ１１などのアナログ回路は、この電流ノイズや内部輻射の影響が無い安定した電源の下で、その性能をフルに発揮することができる。その結果、ＡＶ機器１により再生される音や映像の質は向上する。
【００６７】
また、この実施の形態では、記録再生制御部３３は、ディスク系デバイス１４，１５に記録されているデジタル再生データを内蔵半導体メモリＩＣ１７にコピーするときには、当該ＡＶ機器１から再生出力がなされないように制御する（図２中のステップＳＴ５およびＳＴ１０）。したがって、コピーのためにディスク系デバイス１４，１５から読み出されるデジタル再生データに基づいて、ＤＡＣＩＣ１３などが音や映像などを出力してしまわないようにすることができる。
【００６８】
同様に、記録再生制御部３３は、アナログ外部入力をディスクデバイス１４あるいはＨＤＤデバイス１５へ録音することが要求された場合、これらのディスク系デバイス１４，１５およびファンデバイス１６の停止を指示した状態（図３中のステップＳＴ２４およびＳＴ２５）でアナログ外部入力を内蔵半導体メモリＩＣ１７に記録し（ステップＳＴ２６）、その後、その内蔵半導体メモリＩＣ１７に記録されたデジタル再生データをディスク系デバイス１４，１５へ移動させる（ステップＳＴ３０）。したがって、アナログ外部入力を録音するときには、ディスク系デバイス１４，１５の駆動モータ２１，２２やファンデバイス１６の駆動モータ２３による耳障りな雑音や、冷却ファンなどの風切り音などが発生しないようになり、雑音の無い静かな環境下での録音が可能となる。また、ＡＤＣＩＣ１２も、電流ノイズや内部輻射の影響が無い安定した電源の下で性能をフルに発揮し、ＡＶ機器１によりアナログ記録される音や映像の質は向上する。
【００６９】
以上の実施の形態は、本発明の好適な実施の形態の例であるが、本発明は、これに限定されるものではなく、発明の要旨を逸脱しない範囲において種々の変形や変更が可能である。
【００７０】
上記実施の形態では、記録再生制御部３３は、ディスク系デバイス１４，１５の再生指示があったとき、その再生対象のデジタル再生データを内蔵半導体メモリＩＣ１７にコピーし、その後、デバイス１４，１５などの停止を指示した後に内蔵半導体メモリＩＣ１７による再生処理を指示している。この他にもたとえば、記録再生制御部３３は、ディスク系デバイス１４，１５の再生指示があったとき、まず内蔵半導体メモリＩＣ１７にその再生対象のデータが記憶されているか否かを確認し、記憶されている場合にはコピー動作を行わずに、デバイス１４，１５などの停止を指示した後に内蔵半導体メモリＩＣ１７による再生処理を指示するようにしてもよい。なお、再生対象のデータが記憶されているか否かの判断は、たとえば再生指定されたコンテンツのメタデータとメモリ１７に記憶されたコンテンツのメタデータとを比較することなどにより実行することができる。
【００７１】
これにより、たとえば同じものを繰り返し再生したり、あるいは内蔵半導体メモリＩＣ１７の容量が大きいなどのためにたとえば直接再生指示のなかったコンテンツも含めて（例えばコンテンツの含まれているフォルダをまとめて）ディスク系から一度に多くのデータを事前にコピー済みであったりする状況においては、その後の再生時においては再生対象のデータがすでに内蔵半導体メモリＩＣ１７にコピー済みとなり、ディスク系デバイス１４，１５の再生指示がなされてからその再生が実際に開始されるまでの待ち時間を削減することができる。
【００７２】
上記実施の形態では、記録再生制御部３３は、ディスク系デバイス１４，１５を再生するとき、その再生対象のすべてのデジタル再生データを内蔵半導体メモリＩＣ１７にコピーしてから、内蔵半導体メモリＩＣ１７による再生処理を指示している。この他にもたとえば、記録再生制御部３３は、ディスク系デバイス１４，１５を再生するとき、その再生対象のデジタル再生データをたとえばファイルなどの再生可能な単位で内蔵半導体メモリＩＣ１７にコピーし、そのコピー毎に内蔵半導体メモリＩＣ１７による再生処理を指示するようにしてもよい。
【００７３】
この変形例の場合、ディスク系デバイス１４，１５のデジタル再生データは、再生可能な単位で間欠的に再生されることになる。また、ディスク系デバイス１４，１５中の再生対象のデータ量よりも記憶容量が小さい内蔵半導体メモリＩＣ１７を使用して、再生することができる。再生のための一時バッファとして使用する内蔵半導体メモリＩＣ１７の容量を減らすことができ、ＡＶ機器１の小型化やコスト削減を実現することができる。
【００７４】
図４は、図２に示す再生処理の変形例を示すフローチャートである。なお、図４において、図２の再生処理の各ステップと同じ処理のステップには、図２のステップと同一のステップ番号を付している。
【００７５】
図４において、記録再生制御部３３は、ディスク系デバイス１４，１５の再生が指示されたと判断した後（ステップＳＴ２でＹｅｓ）、さらにすべての再生対象のデジタル再生データが内蔵半導体メモリＩＣ１７に格納可能であるか否かを判断する（ステップＳＴ４１）。そして、すべての再生対象のデジタル再生データを内蔵半導体メモリＩＣ１７に格納することが可能である場合（ステップＳＴ４１でＹｅｓ）、記録再生制御部３３は、図２の場合と同様にすべてのデジタル再生データを内蔵半導体メモリＩＣ１７にコピーした後、データ入出力実行部３２に対して、内蔵半導体メモリＩＣ１７からの再生を指示する（ステップＳＴ５〜ＳＴ１１）。
【００７６】
これに対して、たとえば内蔵半導体メモリＩＣ１７の残りの空き容量が不足するなどの理由により、すべての再生対象のデジタル再生データを内蔵半導体メモリＩＣ１７に格納することが可能ではない場合（ステップＳＴ４１でＮｏ）、あるいは可能とは判断できない場合、記録再生制御部３３は、デジタル再生データを１つずつ内蔵半導体メモリＩＣ１７にコピーし、データ入出力実行部３２に対して、そのコピー毎に内蔵半導体メモリＩＣ１７からの再生を指示する（ステップＳＴ４２〜ＳＴ４８）。また、記録再生制御部３３は、１つの再生が終わる度に、すべての再生対象のデジタル再生データの内蔵半導体メモリＩＣ１７による再生処理が終えたか否かを判断し（ステップＳＴ４９）、終えた場合にはディスク系デバイス１４，１５の再生処理を終了する。
【００７７】
なお、図４において、記録再生制御部３３は、すべての再生対象のデジタル再生データの内蔵半導体メモリＩＣ１７による再生処理が終えていないと判断した場合（ステップＳＴ４９でＮｏ）、ファン制御部３１にファンデバイス１６の起動許可を指示してから（ステップＳＴ５０）、再生可能単位での所定のコピー処理および再生処理を指示している（ステップＳＴ４２〜ＳＴ４８）。このようにファンデバイス１６の起動を可能な限り許可することにより、ディスク系デバイス１４，１５の再生期間が長期化したとしても、各コピー処理中（ステップＳＴ５０からＳＴ４６までの期間）に冷却することができ、ステップＳＴ４８の鑑賞中において冷却ファンが動作してしまう可能性を減らすことができる。
【００７８】
また、記録再生制御部３３は、ディスク系デバイス１４，１５にアナログ外部音声を録音するとき、その録音対象のデジタル再生データをたとえばファイルなどの再生可能な単位で内蔵半導体メモリＩＣ１７に保存し、データ入出力実行部３２に対して、その保存処理毎に内蔵半導体メモリＩＣ１７から指定されたディスク系デバイス１４，１５への移動処理を指示するようにしてもよい。
【００７９】
上記実施の形態では、ディスク系デバイス１４，１５に記録されているデジタル再生データや、ディスク系デバイス１４，１５に記録するデジタル再生データは、内蔵半導体メモリＩＣ１７に記録されてから、再生あるいは記録に使用される。この他にもたとえば、これらのデジタル再生データは、ＡＶ機器１と着脱可能な半導体メモリデバイスに記憶されてもよい。この構成を採用すれば、ＡＶ機器１に内蔵半導体メモリＩＣ１７を内蔵させる必要がないので、ＡＶ機器１そのもののコストを削減することができる。なお、デジタル再生データは、その一部が内蔵半導体メモリＩＣ１７に記憶され、残りがＡＶ機器１と着脱可能な半導体メモリデバイスに記憶されていてもよい。
【００８０】
図５は、メモリカードリーダライタデバイス４１を有するＡＶ機器１の変形例を示すブロック図である。メモリカードリーダライタデバイス４１には、着脱可能な半導体メモリとしての図示外のメモリカードを着脱するとができる。また、メモリカードリーダライタデバイス４１は、ＦＰＧＡＩＣ２０に接続されている。これにより、データ入出力実行部３２は、メモリカードリーダライタデバイス４１に装着されたメモリカードに対して、デジタル再生データの書込みをしたり読み出しをしたりすることが可能となる。また、記録再生制御部３３は、内臓半導体メモリＩＣおよびメモリカードの中の一方を選択して、ディスク系デバイス１４，１５から再生するデジタル再生データなどを一時記憶させればよい。
【００８１】
図６は、ＵＳＢ（Ｕｎｉｖｅｒｓａｌ  Ｓｅｒｉａｌ  Ｂｕｓ）通信Ｉ／Ｆ（Ｉｎｔｅｒｆａｃｅ）デバイス５１を有するＡＶ機器１の変形例を示すブロック図である。ＵＳＢ通信Ｉ／Ｆデバイス５１には、着脱可能な半導体メモリとしての図示外のＵＳＢメモリデバイスを着脱するとができる。また、ＵＳＢ通信Ｉ／Ｆデバイス５１は、ＦＰＧＡＩＣ２０に接続されている。これにより、データ入出力実行部３２は、ＵＳＢ通信Ｉ／Ｆデバイス５１に装着されたＵＳＢメモリデバイスに対して、デジタル再生データの書込みをしたり読み出しをしたりすることが可能となる。また、記録再生制御部３３は、内臓半導体メモリＩＣおよびＵＳＢメモリデバイスの中の一方を選択して、ディスク系デバイス１４，１５から再生するデジタル再生データなどを一時記憶させればよい。
【００８２】
上記実施の形態では、ＡＶ機器１の記録再生制御部３３は、アナログ音声入力端子４に入力される音声信号をディスクデバイス１４あるいはＨＤＤデバイス１５へ録音する際に、これらディスク系に停止を指示した状態で内蔵半導体メモリＩＣ１７に記録し、さらに内蔵半導体メモリＩＣ１７から所望のデバイス１４，１５へ記録データを移動させている。この他にもたとえば、ＡＶ機器１の記録再生制御部３３は、デジタル入力端子２に入力される音声データなどをディスクデバイス１４あるいはＨＤＤデバイス１５へ録音する際に、これらディスク系に停止を指示した状態で内蔵半導体メモリＩＣ１７に記録し、さらに内蔵半導体メモリＩＣ１７から所望のデバイス１４，１５へ記録データを移動させるようにしてもよい。
【００８３】
上記実施の形態のＡＶ機器１は、アナログ外部録音時において、アナログ音声入力端子４に入力される音声信号をサンプリングして波形データへ変換して記録している。この他にもたとえば、ＡＶ機器１は、アナログ外部録音時において、映像信号をサンプリングして映像データへ変換して記録したり、映像信号および音声信号をサンプリングして映像および音のストリーミングデータを生成して記録したりするようにしてもよい。この場合でも、ＡＶ機器１のすべての駆動モータ２１〜２３を停止制御することにより、高品質の映像や音を録音することができる。
【００８４】
上記実施の形態の記録再生制御部３３は、再生時やアナログ外部録音時において、ＡＶ機器１のすべての駆動モータ２１〜２３を停止するように制御している。この他にもたとえば、記録再生制御部３３は、再生時やアナログ外部録音時において、動作時に音を発生するたとえばリレースイッチ、開閉カバー、駆動モータ２１〜２３以外のアクチュエータなどの動作を停止するように制御するようにしてもよい。さらに他にもたとえば、記録再生制御部３３は、ＡＶ機器１に接続される他の機器、たとえば液晶テレビジョン受像機、５．１ｃｈのスピーカシステム、ＤＶＤプレーヤなどへ、それらの駆動モータなどのアクチュエータの動作を停止する信号を出力するようにしてもよい。
【００８５】
上記実施の形態のＡＶ機器１は、再生機能および録音機能を有している。この他にもたとえば、ＡＶ機器１は、再生機能のみ、あるいは録音機能のみを有するものであってもよい。また、本発明の再生装置あるいは記録装置は、液晶テレビジョン受像機やＤＶＤプレーヤなどであっても、携帯プレーヤなどのポータブル再生デバイスなどであっても、車両などに搭載されるオーディオ装置やヘッド装置やナビゲーション装置であってもよい。
【００８６】
以下、ディスクデバイス１４などの再生指示があったときに、記録再生制御部３３が内蔵半導体メモリＩＣ１７などにその再生対象のデータが記憶されているか否かを確認し、且つ、内蔵半導体メモリＩＣ１７により再生をする場合の変形例を具体的に説明する。
【００８７】
図７は、ディスクデバイス１４の再生が指示された場合に記録再生部３３が実行する再生処理の一変形例を示すフローチャートである。このフローチャートでは、記録再生部３３は、ＣＤ−ＤＢなどのデータベースにアクセスし、データベースから取得した情報を用いてコピー処理のための分岐判断をする。
【００８８】
記録再生部３３は、ディスクデバイス１４の再生が指示される（ステップＳＴ６１）と、ＤＳＰＩＣ１３へ出力ミュートを指示した後（ステップＳＴ６２）、ディスク駆動を開始してディスクのＴＯＣ（Ｔａｂｌｅ  Ｏｆ  Ｃｏｎｔｅｎｔｓ）情報を抽出する（ステップＳＴ６３）。記録再生部３３は、抽出したＴＯＣ情報とウェブ上のデータベース（たとえばＣＤ−ＤＢ）の情報あるいはＨＤＤデバイス１５中の図示外のデータベースの情報とを比較し（ステップＳＴ６４，ＳＴ６５）、合致するデータの情報をデータベースから抽出する（ステップＳＴ６６）。なお、データベース中に合致するデータが無い場合（ステップＳＴ６５でＮｏの場合）には、記録再生部３３は、ディスクの再生処理を終了する。
【００８９】
ディスクのＴＯＣ情報と合致する情報をデータベースから抽出した後、記録再生部３３は、その情報を用いてコピー処理のための分岐判断をする。具体的には、記録再生部３３は、内蔵半導体メモリＩＣ１７内に抽出情報と同一のデータがある場合（ステップＳＴ６７でＹｅｓの場合）、ディスクデバイス１４を完全停止させた後（ステップＳＴ６８）、ファンデバイス１６に停止を指示し（ステップＳＴ６９）、出力ミュートを解除し（ステップＳＴ７０）、データ入出力実行部３２に対して、内蔵半導体メモリＩＣ１７に既にコピーされているデジタル再生データの再生を指示する（ステップＳＴ７１）。
【００９０】
また、内蔵半導体メモリＩＣ１７内に抽出情報と同一のデータが無い場合（ステップＳＴ６７でＮｏの場合）、記録再生部３３は、さらにＨＤＤデバイス１５内に抽出情報と同一のデータがあるか否かを判断する（ステップＳＴ７２）。そして、ＨＤＤデバイス１５内に抽出情報と同一のデータがある場合（ステップＳＴ７２でＹｅｓの場合）、記録再生部３３は、再生するデータをＨＤＤデバイス１５から内蔵半導体メモリＩＣ１７へコピーし（ステップＳＴ７３，ＳＴ７４）、さらにＨＤＤデバイス１５を完全停止させた後（ステップＳＴ７５）、ファンデバイス１６に停止を指示し（ステップＳＴ６９）、出力ミュートを解除し（ステップＳＴ７０）、データ入出力実行部３２に対して、内蔵半導体メモリＩＣ１７に既にコピーされているデジタル再生データの再生を指示する（ステップＳＴ７１）。
【００９１】
さらに、ＨＤＤデバイス１５内に抽出情報と同一のデータが無い場合（ステップＳＴ７２でＮｏの場合）、記録再生部３３は、再生するデータをディスクから内蔵半導体メモリＩＣ１７へコピーし（ステップＳＴ７６，ＳＴ７７）、さらにディスクデバイス１４を完全停止させた後（ステップＳＴ７８）、ファンデバイス１６に停止を指示し（ステップＳＴ６９）、出力ミュートを解除し（ステップＳＴ７０）、データ入出力実行部３２に対して、内蔵半導体メモリＩＣ１７に既にコピーされているデジタル再生データの再生を指示する（ステップＳＴ７１）。
【００９２】
図８は、ディスクデバイス１４のリッピングが指示された場合に記録再生部３３が実行するリッピング処理の一例を示すフローチャートである。このフローチャートでは、記録再生部３３は、リッピングコンテンツタグなどにＴＯＣ情報を書き込む。
【００９３】
記録再生部３３は、ディスクデバイス１４のリッピングが指示されると（ステップＳＴ８１）、ディスク駆動を開始してディスクのＴＯＣ（Ｔａｂｌｅ  Ｏｆ  Ｃｏｎｔｅｎｔｓ）情報を抽出した後（ステップＳＴ８２）、ウェブ上のデータベース（たとえばＣＤ−ＤＢ）あるいはＨＤＤデバイス１５中の図示外のデータベースにアクセスし（ステップＳＴ８３）、抽出したＴＯＣ情報に対応する情報がこれらのデータベースに存在するか否かを判断する（ステップＳＴ８４）。
【００９４】
抽出したＴＯＣ情報に対応する情報がこれらのデータベースに存在する場合（ステップＳＴ８４でＹｅｓの場合）、記録再生部３３は、その情報を取得し（ステップＳＴ８５）、リッピングを開始する（ステップＳＴ８６）。また、リッピングが終了すると、記録再生部３３は、取得したＴＯＣ情報およびデータベースの情報とを、リッピングしたデータのタグ情報として記録する（ステップＳＴ８７）。
【００９５】
これに対して、抽出したＴＯＣ情報に対応する情報がこれらのデータベースに存在しない場合（ステップＳＴ８４でＮｏの場合）、記録再生部３３は、リッピングを実行し（ステップＳＴ８８）、取得したＴＯＣ情報を、リッピングしたデータのタグ情報として記録する（ステップＳＴ８９）。
【００９６】
図９は、図８のリッピング処理に対応するディスク再生処理の流れを示すフローチャートである。なお、図９中の各ステップは、図７中の各ステップと同様であり、同一のステップ番号を付与して説明を省略する。図９の再生処理では、記録再生部３３は、ウェブ上のデータベースあるいはＨＤＤデバイス１５中の図示外のデータベースにアクセスすることなく、抽出したＴＯＣ情報を用いてコピーのための分岐判断を実行する（ステップＳＴ６７，ＳＴ７２）。
【００９７】
図１０は、ディスクデバイス１４のリッピングが指示された場合に、記録再生部３３が実行するリッピング処理の他の例を示すフローチャートである。このフローチャートでは、記録再生部３３は、リッピングコンテンツタグにＴＯＣ情報、ウェブ上のデータベースなどから取得した情報、ユーザが入力デバイス１８を用いて設定した曲名などを書き込んだ後（ステップＳＴ８７，ＳＴ８９）、それらとリッピング先とを関連付けた情報を格納先データベースに登録する（ステップＳＴ９１，ＳＴ９２）。なお、格納先データベースは、たとえばＨＤＤデバイス１５内に設けられればよい。図１０のこれ以外の各ステップは、図８中の各ステップと同様であり、同一のステップ番号を付与して説明を省略する。
【００９８】
図１１は、図１０のリッピング処理に対応するディスク再生処理の流れを示すフローチャートである。図１１のフローチャートにおいて、記録再生部３３は、再生のために読み込んだＴＯＣ情報を用いて再生元を選択する。具体的には、記録再生部３３は、まず、ＴＯＣ情報と同一の情報であって、内蔵半導体メモリＩＣ１７と対応付けられたものが格納先データベースに存在するか否かを判断し（ステップＳＴ１０１）、存在にしない場合にはさらに、ＴＯＣ情報と同一の情報であって、ＨＤＤデバイス１５と対応付けられたものが格納先データベースに存在するか否かを判断する（ステップＳＴ１０２）。
【００９９】
そして、格納先データベース中に内蔵半導体メモリＩＣ１７と対応付けられた情報が存在する場合（ステップＳＴ１０１でＹｅｓの場合）、記録再生部３３は、ディスクデバイス１４を完全停止し（ステップＳＴ６８）、内蔵半導体メモリＩＣ１７からの再生処理を指示する（ステップＳＴ６９〜ＳＴ７１）。また、格納先データベース中にＨＤＤデバイス１５と対応付けられた情報が存在する場合（ステップＳＴ１０２でＹｅｓの場合）、記録再生部３３は、その再生対象のデータをＨＤＤデバイス１５から内蔵半導体メモリＩＣ１７へコピーし（ステップＳＴ７３，ＳＴ７４）、ディスク系デバイス１４，１５を完全停止し（ステップＳＴ７５）、格納先データベースに今回のコピーに関する情報を登録し（ステップＳＴ１０３）、内蔵半導体メモリＩＣ１７からの再生処理を指示する（ステップＳＴ６９〜ＳＴ７１）。また、格納先データベース中にＨＤＤデバイス１５と対応付けられた情報が存在しない場合（ステップＳＴ１０２でＮｏの場合）、記録再生部３３は、その再生対象のデータをディスクから内蔵半導体メモリＩＣ１７へコピーし（ステップＳＴ７６，ＳＴ７７）、ディスクデバイス１４を完全停止し（ステップＳＴ７８）、格納先データベースに今回のコピーに関する情報を登録し（ステップＳＴ１０４）、内蔵半導体メモリＩＣ１７からの再生処理を指示する（ステップＳＴ６９〜ＳＴ７１）。なお、図１１中のこれ以外のステップは、図９中の各ステップと同様であり、同一のステップ番号を付与して説明を省略する。
【０１００】
図１２は、図１０のリッピング処理に対応するＨＤＤ再生処理の流れを示すフローチャートである。記録再生部３３は、ＨＤＤデバイス１５の再生が指示されると（ステップＳＴ１１１）、ＤＳＰＩＣ１３へ出力ミュートを指示した後（ステップＳＴ６２）、ＨＤＤの駆動を開始して情報を抽出し（ステップＳＴ１１２）、コピーのための分岐判断を実行する。具体的には、記録再生部３３は、ＨＤＤから抽出した情報と同一の情報であって、内蔵半導体メモリＩＣ１７と対応付けられたものが格納先データベースに存在するか否かを判断する（ステップＳＴ１０１）。
【０１０１】
そして、格納先データベース中に内蔵半導体メモリＩＣ１７と対応付けられた情報が存在する場合（ステップＳＴ１０１でＹｅｓの場合）、記録再生部３３は、ディスクデバイス１４を完全停止し（ステップＳＴ１１３）、内蔵半導体メモリＩＣ１７からの再生処理を指示する（ステップＳＴ６９〜ＳＴ７１）。また、格納先データベース中に内蔵半導体メモリＩＣ１７と対応付けられた情報が存在しない場合（ステップＳＴ１０１でＮｏの場合）、記録再生部３３は、その再生対象のデータをＨＤＤデバイス１５から内蔵半導体メモリＩＣ１７へコピーし（ステップＳＴ７３，ＳＴ７４）、ＨＤＤデバイス１５を完全停止し（ステップＳＴ７５）、格納先データベースに今回のコピーに基づく情報を登録し（ステップＳＴ１０３）、内蔵半導体メモリＩＣ１７からの再生処理を指示する（ステップＳＴ６９〜ＳＴ７１）。なお、図１２中のこれ以外のステップは、図１中の各ステップと同様であり、同一のステップ番号を付与して説明を省略する。
【産業上の利用可能性】
【０１０２】
本発明は、ＡＶ機器などにおいて好適利用することができる。
【図面の簡単な説明】
【０１０３】
【図１】図１は、本発明の実施の形態に係る再生装置としてのＡＶ機器の構成を示すブロック図である。
【図２】図２は、図１中の記録再生制御部が実行する再生処理の流れを示すフローチャートである。
【図３】図３は、図１中の記録再生制御部が実行する記録処理の流れを示すフローチャートである。
【図４】図４は、図２に示す再生処理の変形例を示すフローチャートである。
【図５】図５は、メモリカードリーダライタデバイスを有するＡＶ機器の変形例を示すブロック図である。
【図６】図６は、ＵＳＢ通信Ｉ／Ｆデバイスを有するＡＶ機器の変形例を示すブロック図である。
【図７】図７は、ディスクデバイスの再生が指示された場合に記録再生部が実行する再生処理の一変形例を示すフローチャートである。
【図８】図８は、ディスクデバイスのリッピングが指示された場合に記録再生部が実行するリッピング処理の一例を示すフローチャートである。
【図９】図９は、図８のリッピング処理に対応するディスク再生処理の流れを示すフローチャートである。
【図１０】図１０は、ディスクデバイスのリッピングが指示された場合に記録再生部が実行するリッピング処理の他の例を示すフローチャートである。
【図１１】図１１は、図１０のリッピング処理に対応するディスク再生処理の流れを示すフローチャートである。
【図１２】図１２は、図１０のリッピング処理に対応するＨＤＤ再生処理の流れを示すフローチャートである。
【符号の説明】
【０１０４】
１  ＡＶ機器（再生装置）
４  アナログ音声入力端子（アナログ入力端子）
１４  ディスクデバイス（ディスク系デバイスの一種）
１５  ＨＤＤデバイス（ディスク系デバイスの一種）
１６  ファンデバイス
１７  内蔵半導体メモリＩＣ（半導体メモリ）
２１〜２３  駆動モータ
３３  記録再生制御部（制御手段）
【図１】
2008243300.tif 000003
【図２】
2008243300.tif 000004
【図３】
2008243300.tif 000005
【図４】
2008243300.tif 000006
【図５】
2008243300.tif 000007
【図６】
2008243300.tif 000008
【図７】
2008243300.tif 000009
【図８】
2008243300.tif 000010
【図９】
2008243300.tif 000011
【図１０】
2008243300.tif 000012
【図１１】
2008243300.tif 000013
【図１２】
2008243300.tif 000014